(57)【要約】【課題】行動計画表の一部を拡大した複数の画面を連続的に表示する場合に、主体及び時間の変化をわかりやすく表示する。【解決手段】行動計画表示装置は、主体ごとの行動を時系列で記載した行動計画表のうちの、第１の画面から、第１の画面の一部分の拡大後の画面又は第１の画面から遷移した遷移後の画面である第２の画面への表示操作を検出した際に、第１の画面から第２の画面への拡大又は遷移における中間の画面である中間画面を、第１の画面と第２の画面の間に挿入して表示する表示制御部を備えることを特徴とする。【選択図】図７
2015082275.tif 000002
【特許請求の範囲】
【請求項１】
主体ごとの行動を時系列で記載した行動計画表のうちの、第１の画面から、前記第１の画面の一部分の拡大後の画面又は前記第１の画面から遷移した遷移後の画面である第２の画面への表示操作を検出した際に、
前記第１の画面から前記第２の画面への拡大又は遷移における中間の画面である中間画面を、前記第１の画面と前記第２の画面の間に挿入して表示する表示制御部、
を備えることを特徴とする行動計画表示装置。
【請求項２】
前記行動計画装置は、
前記中間画面を登録して記憶部に記憶する画面管理部を備え、
前記表示制御部は、
前記表示操作を検出した際に、前記記憶部に記憶されている中間画像を挿入しつつ、前記第２の画面を表示すること、
を特徴とする請求項１に記載の行動計画表示装置。
【請求項３】
前記表示制御部は、
前記第２の画面が連続表示される順序を決定するパタンの候補をユーザが見る画面に提示し、
前記ユーザが、前記パタンを選択するのを受け付け、
前記受け付けたパタンに基づいて前記順序を決定すること、
を特徴とする請求項２に記載の行動計画表示装置。
【請求項４】
前記表示制御部は、
前記第２の画面及び前記中間画面が連続表示されるタイミングを決定する上映速度曲線の候補を前記ユーザが見る画面に提示し、
前記ユーザが、前記上映速度曲線を選択するのを受け付け、
前記受け付けた上映速度曲線に基づいて前記タイミングを決定すること、
を特徴とする請求項３に記載の行動計画表示装置。
【請求項５】
前記パタンは、
前記領域を、ある主体ごとに時系列で表示するパタン、
前記領域を、ある時点ごとに主体を変化させて表示するパタン、及び、
前記第２の画面を、前記第２の画面の面積が大きい順に表示するパタン、
を含むこと、
を特徴とする請求項４に記載の行動計画表示装置。
【請求項６】
前記上映速度曲線は、
前記第２の画面及び前記中間画面が切り替わる間隔を徐々に大きくしていく上映速度曲線、及び、
前記第２の画面及び前記中間画面が切り替わる間隔を徐々に小さくしていく上映速度曲線、
を含むこと、
を特徴とする請求項５に記載の行動計画表示装置。
【請求項７】
前記表示制御部は、
前記第２の画面間の距離に応じて、前記中間画面の数を決定すること、
を特徴とする請求項６に記載の行動計画表示装置。
【請求項８】
前記表示制御部は、
前記第２の画面及び前記中間画面を表示している過程において、前記第２の画面を追加的に作成し、又は、前記パタン及び前記上映速度曲線のうちの少なくとも１つの変更を受け付けること、
を特徴とする請求項７に記載の行動計画表示装置。
【請求項９】
前記表示制御部は、
前記受け付けた第２の画面が複数の前記行動計画表に属する場合は、
第１の行動計画表全体を表示する中間画面を表示し、
当該中間画面において前記第２の画面以外の図形を徐々に消滅させ、
第２の行動計画表全体を表示する中間画面を表示し、
当該中間画面において前記第２の画面以外の図形を徐々に出現させること、
を特徴とする請求項８に記載の行動計画表示装置。
【請求項１０】
表示制御部は、
主体ごとの行動を時系列で記載した行動計画表のうちの、第１の画面から、前記第１の画面の一部分の拡大後の画面又は前記第１の画面から遷移した遷移後の画面である第２の画面への表示操作を検出した際に、
前記第１の画面から前記第２の画面への拡大又は遷移における中間の画面である中間画面を、前記第１の画面と前記第２の画面の間に挿入して表示すること、
を特徴とする、前記表示制御部を備える行動計画表示装置の行動計画表示方法。
【発明の詳細な説明】
【技術分野】
【０００１】
本発明は、行動計画表示装置及び行動計画表示方法に関する。
【背景技術】
【０００２】
例えば企業がある業務を遂行するために、その業務の行動計画表を作成することは多い。特に、多くの人員が業務に関係し、かつ、業務が長い期間に亘る場合、１つの行動計画表を関係者全員が見ながら、業務の内容、進捗状況、業務間の因果関係等を議論することは多い。そして、行動計画表の一部を拡大して表示すること、拡大された複数の図をスライド方式で連続的に表示することがよく行われる。
特許文献１においては、コンピュータ等の機器は、例えば、まず時点ａにおいて、地図上のＡ位置を含む拡大画像を画面表示し、次に時点ｂにおいて、同じ地図上のＢ位置を含む拡大画像を画面表示する。そして、当該機器は、時点ａと時点ｂとの間において、Ａ地点及びＢ地点の両者を含むやや縮小された画像を画面表示して、Ａ位置からＢ位置に至る移動の様子を視覚的に理解しやすくする。
【先行技術文献】
【特許文献】
【０００３】
【特許文献１】特開２００８−１２９０３６号公報（段落００１５、図４）
【発明の概要】
【発明が解決しようとする課題】
【０００４】
業務を遂行する主体には、多くの企業、その企業に属する多くの担当者が含まれる。ときには、その業務を委託する顧客が業務に参加することもある。このように多くの主体が１つの業務に関係する場合、行動計画表は一般的に、いつ、誰が、どのような行動をするか、を明らかにするものとなっている。
特許文献１における機器は、地図、写真、機械図面等を見る場合には画面移動の様子を理解しやすく表現できる。しかしながら、特許文献１における機器は、画面変化の順序及び速度が固定的である。主体別に時系列で行うべき業務が記されているような行動計画表に当該機器を適用することは可能である。しかしながら、スライド画面が連続して変化している場合に、画面間で主体及び時間がどのように変化したのかがわかりにくい。
【０００５】
そこで、本発明は、行動計画表の一部を拡大した複数の画面を連続的に表示する場合に、主体及び時間の変化をわかりやすく表示することを目的とする。
【課題を解決するための手段】
【０００６】
本発明の行動計画表示装置は、主体ごとの行動を時系列で記載した行動計画表のうちの、第１の画面から、第１の画面の一部分の拡大後の画面又は第１の画面から遷移した遷移後の画面である第２の画面への表示操作を検出した際に、第１の画面から第２の画面への拡大又は遷移における中間の画面である中間画面を、第１の画面と第２の画面の間に挿入して表示する表示制御部を備えることを特徴とする。
その他の手段は、発明を実施するための形態のなかで説明する。
【発明の効果】
【０００７】
本発明によれば、行動計画表の一部を拡大した複数の画面を連続的に表示する場合に、主体及び時間の変化をわかりやすく表示することが可能になる。
【図面の簡単な説明】
【０００８】
【図１】行動計画表示装置の構成を説明する図である。
【図２】ワークシートを説明する図である。
【図３】ワークシート表示画面を説明する図である。
【図４】操作パネルを示す図である。
【図５】（ａ）、（ｂ）及び（ｃ）は、見出し行等の表示方法を説明する図である。
【図６】（ａ）及び（ｂ）は、登録画面を説明する図である。
【図７】（ａ）、（ｂ）及び（ｃ）は、登録画面と中間画面との関係を説明する図である。
【図８】３つ以上の登録画面の位置関係を説明する図である。
【図９】自動スライド上映の一例を示す図である（その１）。
【図１０】自動スライド上映の一例を示す図である（その２）。
【図１１】自動スライド上映の一例を示す図である（その３）。
【図１２】（ａ）及び（ｂ）は、異なるワークシートを跨ぐ中間画面を説明する図である。
【図１３】（ａ）、（ｂ）、（ｃ）及び（ｄ）は、異なるワークシートを跨ぐ中間画面を説明する図である。
【図１４】（ａ）は、ワークシート情報の一例を示す図である。（ｂ）は、ノード情報の一例を示す図である。（ｃ）は、リンク情報の一例を示す図である。（ｄ）は、コメント情報の一例を示す図である。
【図１５】（ａ）は、登録画面情報の一例を示す図である。（ｂ）は、領域座標を説明する図である。（ｃ）は、中間画面情報の一例を示す図である。
【図１６】（ａ）、（ｂ）及び（ｃ）は、上映情報の一例を示す図である。
【図１７】（ａ）及び（ｂ）は、上映速度曲線の一例を示す図である（その１）。
【図１８】（ａ）及び（ｂ）は、上映速度曲線の一例を示す図である（その２）。
【図１９】上映順序パタンの一例を示す図である。
【図２０】全体処理手順を示すフローチャートである。
【図２１】自動スライド上映処理手順を示すフローチャートである。
【発明を実施するための形態】
【０００９】
以降、本発明を実施するための形態（「本実施形態」という）を、図等を参照しながら説明する。
【００１０】
（行動計画表示装置）
図１に沿って、行動計画表示装置１の構成を説明する。行動計画表示装置１は、一般的なコンピュータである。行動計画表示装置１は、中央制御装置１１、キーボード、マウス等の入力装置１２、出力装置（プロジェクタ）１３ａ、出力装置（ディスプレイ）１３ｂ、主記憶装置１４、補助記憶装置１５及び通信装置１６を有する。これらはシステムバスによって相互に接続されている。ディスプレイ１３ｂは、机上に置かれる液晶ディスプレイである。プロジェクタ１３は、会議室等に設置された大型スクリーンに対して画像等を投影する。
【００１１】
主記憶装置１４における、画面管理部２１及びスライド上映部２２は、プログラムである。以降、「○○部は」と主体を記した場合は、中央制御装置１１が、補助記憶装置１５から各プログラムを読み出し、主記憶装置１４にロードしたうえで、各プログラムの機能（詳細後記）を実現するものとする。補助記憶装置１５は、ワークシート３１、ワークシート情報３２、ノード情報３３、リンク情報３４、コメント情報３５、登録画面情報３６、中間画面情報３７、上映情報３８、上映速度曲線３９及び上映順序パタン４０を記憶する。行動計画表示装置１は、ネットワーク３を介して、携帯端末装置２に接続され得る。なお、「表示制御部」は、画面管理部２１及びスライド上映部２２を含む概念である。
【００１２】
携帯端末装置２は、一般的な携帯用のコンピュータである。携帯端末装置２もまた、相互にバスによって接続された、中央制御装置、タッチパネル等の入力装置、同じくタッチパネル等の出力装置、主記憶装置、補助記憶装置及び通信装置（図示せず）を有する。携帯端末装置２の入力装置及び出力装置は、一体型の入出力装置であってもよい。
【００１３】
（ワークシート）
図２に沿って、ワークシート３１を説明する。ワークシート３１は、ｎ行×ｍ列のマトリックスである。図２の例では、ｎ＝５かつｍ＝６である。縦軸の「お客様」、「弊社」及び「○○社」は行動主体である。横軸の「大工程１」、「大工程２」、「小工程１」、「小工程２」、「小工程３」、「小工程４」及び「小工程５」は、時系列の工程を示す。さらに、複数の連続する小工程をまとめて「大工程」としている。なお、工程の数字が大きいほど、その工程は時間的に後である。行列の交点のセルには複数の図形（詳細後記）が表示される。ワークシートは、業務の数だけ存在する。なお、「行動計画表」は、ワークシート３１に相当する。
【００１４】
（ワークシート表示画面）
図３に沿って、ワークシート表示画面４１を説明する。行動計画表示装置１の画面管理部２１及びスライド上映部２２（図１）は、スクリーン又はディスプレイ１３ｂにワークシート表示画面４１を表示する。なお、表示処理等の情報処理主体は、後記する全体処理手順のステップＳ３０１〜Ｓ３０５（図２０）においては、画面管理部２１であり、ステップＳ３０６（図２０）においてはスライド上映部２２である。以下、単に「画面管理部２１は」又は「スライド上映部２２は」と記した場合、それらは画面管理部２１及びスライド上映部２２の両者を代表している場合がある。
【００１５】
ユーザ（会議の書記等）は、携帯端末装置２の出力装置上又はディスプレイ１３ｂ上における操作によって、ワークシート３１のある部分を、ワークシート表示画面４１として見ることができる。なお、「第１の画面」は、ワークシート表示画面４１に相当する。ユーザは、ワークシート表示画面４１の一部を拡大して見ることができるし、スクロール等の操作によって、ワークシート３１の別の範囲を（拡大、縮小をすることなく）別のワークシート表示画面４１として遷移させることができる。図３のワークシート表示画面４１は、ワークシート３１（図２）の左上の一部を拡大して表示している。つまり、スライド上映部２２は、現在、ディスプレイ１３ｂ上に、ワークシート３１の第１行から第４行まで、第１列から第５列の途中までの領域を表示している。このとき、スライド上映部２２は、プロジェクタ１３ａを介して、ワークシート３１の全く同じ領域をスクリーンに表示している。
【００１６】
いま、第３行第２列のセルに注目する。当該セルは、アクション４２、成果物４３、事実４４、意見４５、気持ち４６、課題４７、コメント４８及びリンク４９を示す図形を有している。アクション４２は、行動主体が行う行動であり、例えば「取締役会で議決する」である。本来、図３のアクションを示す図形の中にも当該文言を記載するべきであるが、単純化のため、「アクション１」のように簡略化して記載している（他の図形も同様）。成果物４３は、アクションによって生み出されるコンテンツであり、例えば「取締役会議事録」である。事実４４は、その行動主体において発生する事実であり、例えば「専務取締役は海外出張中」である。意見４５は、その行動主体に対する意見であり、例えば「専務取締役が議決に加わらないことを明記してはどうか。」である。
【００１７】
気持ち４６もまた、その行動主体に対する意見であるが、意見４５に比して非公式なものである。気持ち４６は、例えば「ここまでは去年もたどり着いたがあとが続かなかった。今年こそ。」である。課題４７もまた、その行動主体に対する意見であるが、主として留意事項である。課題４７は、例えば「わかりやすい表現で記載し、直ちに社内に公開する。」である。コメント４８は、あらゆる行動主体が会議において自由に発言した内容であり、例えば「弊社社員同席要」である。
以上のアクション４２等を示す図形を総称して、「ノード」と呼ぶ。リンク４９は、ノード間を接続する線分又は有向線分である。通常、有向線分の起点のノードは、終点のノードの原因又は前提である。
【００１８】
（操作パネル）
図４に沿って、操作パネル５２を説明する。行動計画表示装置１は、携帯端末装置２の出力装置の画面全体に、操作パネル５２を表示する。同時に、行動計画表示装置１は、自身のディスプレイ１３ｂに表示されているワークシート表示画面４１の一部にも同じ操作パネル５２を表示する。
【００１９】
操作パネル５２は、状態番号５３、登録ボタン５４、拡大ボタン５５ａ、縮小ボタン５５ｂ、折り畳みボタン５６ａ、展開ボタン５６ｂ、戻るボタン５７ａ、進むボタン５７ｂ及びスタンプ５８ａ〜５８ｄを有する。状態番号５３の分母は、登録画面（詳細後記）の総数を示す。分子は、現在表示されている登録画面が、何番目に表示されるべきものであるかを示す（詳細後記）。ユーザは、ワークシート３１のある領域をマウスで指定して、登録ボタン５４を押下する。すると、画面管理部２１は、当該領域を登録する。
【００２０】
ユーザは、ワークシート３１のある点をマウスで指定して、拡大ボタン５５ａを押下し続ける。すると、画面管理部２１は、拡大ボタン５５ａが押下されている間、当該点を中心にワークシート３１を拡大し続ける。ユーザは、ワークシート３１のある点をマウスで指定して、縮小ボタン５５ｂを押下し続ける。すると、画面管理部２１は、縮小ボタン５５ｂが押下されている間、当該点を中心にワークシート３１を縮小し続ける。なお、「拡大する」とは、画面のサイズを変化させることなく、表示対象の領域を絞り込む（クローズアップ）ことであり、「縮小する」とはその逆である。
【００２１】
ユーザは、ワークシート３１のある行又は列をマウスで指定して、折り畳みボタン５６aを押下する。すると、画面管理部２１は、その行又は列を非表示にする。ユーザは、ワークシート３１の、非表示にされている行の前後の行又は非表示にされている列の左右の列をマウスで指定して、展開ボタン５６ｂを押下する。すると、画面管理部２１は、非表示にされている行又は列を再度表示する。
【００２２】
ユーザが戻るボタン５７aを押下すると、画面管理部２１は、直前の登録画面を表示する。ユーザが進むボタン５７ｂを押下すると、画面管理部２１は、直後の登録画面を表示する。ユーザは、４種のスタンプ５８ａ〜５８ｄのうちの任意のものを選択したうえで、ワークシート３１上の任意の点をマウスで指定する。すると、画面管理部２１は、指定された点に選択されたスタンプを貼り付ける。スタンプ５８ａは、「これは重要」という意味を有する。スタンプ５８ｂは、「これは不要」という意味を有する。スタンプ５８ｃは、「ここに価値を感じる」という意味を有する。スタンプ５８ｄは、「ここに困っている」という意味を有する。
【００２３】
（見出し行及び見出し列の表示）
図５に沿って、見出し行及び見出し列の表示方法を説明する。ワークシート３１の第１行及び第２行を「見出し行」と呼び、第１列を「見出し列」と呼ぶ。画面管理部２１は、見出し行の任意のセルの少なくとも一部分がワークシート表示画面４１に表示されている限り、当該セル内の文字列を必ず表示する。
【００２４】
図５（ａ）において、画面管理部２１は、「大工程１」、「小工程１」及び「小工程２」を表示している。図５（ｂ）では、ユーザが画面をスクロール操作した結果、表示されている「小工程１」の列の幅は、図５（ａ）に比して狭くなっている。しかしながら、画面管理部２１は、「小工程１」の文字列をやや右に動かしつつその表示を維持している。また、図５（ｂ）では、ユーザが画面をスクロール操作した結果、「小工程３」（「大工程２」に含まれる）の列が僅かに表示されている。画面管理部２１は、「大工程２」の文字列及び「小工程３」の文字列を、「大工程１」等に比してややサイズを小さくしつつ表示している。図５（ｃ）では、ワークシート表示画面４１上から、「小工程１」の列が完全に見えなくなっている。よって、当然「小工程１」の文字列は表示されない。そして、画面管理部２１は、「小工程４」の文字列を小さなサイズで表示している。
前記では、見出し行の「小工程１」等について説明したが、見出し列の「お客様」等についても全く同じである。
【００２５】
（中間画面の意義）
図３に戻る。いま、画面管理部２１は、ユーザが、領域６１を指定して登録ボタン５４を押下するのを受け付けたとする。続いて、画面管理部２１は、ユーザが、領域６２を指定して登録ボタン５４（図４）を押下するのを受け付けたとする。すると、画面管理部２１は、領域６１を登録画面ａとして登録し、領域６２を登録画面ｂとして登録する。ユーザがある領域を登録するのは、その領域がユーザにとって特に重要であり、ユーザは後でその領域を拡大し連続的にスライド方式で見ることを予定しているからである。なお、「第２の画面」は、ここでの登録画面に相当する。ユーザは、拡大した画面しか登録できないわけではなく、ワークシート表示画面４１に表示される範囲を（拡大、縮小することなく）遷移させて、遷移後の画面を登録してもよい。「第２の画面」は、このような遷移後の画面も含む。さらに、ユーザは、拡大又は遷移する前段階の（現在見ている）ワークシート表示画面４１を登録してもよい。この場合、「第２の画面」は、ワークシート表示画面４１も含む。
【００２６】
図６を参照して登録画面について説明する。まず、スライド上映部２２は、領域６１（図３）を登録画面ａとして、ディスプレイ１３ｂ又はスクリーンに表示する（図６（ａ））。続いて、スライド上映部２２は、領域６２（図３）を登録画面ｂとして、ディスプレイ１３ｂ又はスクリーンに表示する（図６（ｂ））。しかしながら、ユーザは、大きなワークシート３１のどの領域からどの領域に画面が切り替わったかを即座に知ることが困難である。
【００２７】
図７（ａ）〜（ｃ）を参照する。図７（ａ）は図６（ａ）と同じであり、図７（ｃ）は図６（ｂ）と同じである。スライド上映部２２は、登録画面ａを表示した直後、登録画面ｂを表示する直前に、中間画面ａｂ（図７（ｂ））を表示する。中間画面ａｂは、図３の領域６１を左上に領域６２を右下に表示している。中間画面ａｂを見たユーザは、登録画面６１と登録画面６２との位置関係を直ちに理解することができる。
【００２８】
図８に沿って、３つ以上の登録画面の位置関係を説明する。いま、ユーザは、まず「お客様」のアクション等を、ある業務の開始時点を起点として時系列で順次確認し、次に「弊社」のアクション等を同様に確認することを希望している。つまり、まず最も上の行を左から右に見て行き、次にその下の行を左から右に見て行こうとしている。このとき、画面管理部２１は、ユーザが、領域７１を指定して登録ボタン５４を押下するのを受け付けることになる。画面管理部２１は、続いて、ユーザが領域７２を指定して登録ボタン５４を押下するのを受け付け、・・・（繰り返し）・・・、最後にユーザが領域７５を指定して登録ボタン５４を押下するのを受け付けることになる。すると、画面管理部２１は、領域７１を登録画面Ｄ０１として登録し、領域７２を登録画面Ｄ０２として登録し、・・・（繰り返し）・・・、領域７５を登録画面Ｄ０５として登録する。
【００２９】
図９に沿って、自動スライド上映の一例を説明する。スライド上映部２２は、登録画面Ｄ０１、中間画面Ｍ１２、登録画面Ｄ０２、中間画面Ｍ２３、登録画面Ｄ０３、中間画面Ｍ３４、登録画面Ｄ０４、中間画面Ｍ４５及び登録画面Ｄ０５を、この順序で表示する。ここで、例えば、「中間画面Ｍ１２」の「１２」という表記は、「中間画面Ｍ１２」が「登録画面Ｄ０１」と「登録画面Ｄ０２」との間の画面であることを示している。
中間画面Ｍ１２は、領域７１（登録画面Ｄ０１）、領域７２（登録画面Ｄ０２）及び領域７１から領域７２に向かう有向線分を表示する。図９では記載を省略したが、実際の中間画面Ｍ１２は、アクション等のノード及びリンクも表示する。中間画面Ｍ２３、中間画面Ｍ３４及び中間画面Ｍ４５についても同様である。
【００３０】
図１０もまた、自動スライド上映の一例を説明する図である。図１０の中間画面Ｍ１２は、領域７１、領域７２、・・・、領域７５をすべて表示し、それらの間の有向線分もすべて表示する。しかしながら、領域７１、領域７２及び両者間の有向線分だけが強調表示されている。中間画面Ｍ２３、中間画面Ｍ３４及び中間画面Ｍ４５についても同様である。
【００３１】
図１１もまた、自動スライド上映の一例を説明する図である。図１１の中間画面Ｍ１２は、領域７１、領域７２及び領域７３を表示し、それらの間の有向線分も表示する。しかしながら、領域７１、領域７２及び両者間の有向線分だけが強調表示されている。中間画面Ｍ２３は、領域７２、領域７３及び領域７４を表示し、それらの間の有向線分も表示する。しかしながら、領域７２、領域７３及び両者間の有向線分だけが強調表示されている。より一般化すると、スライド上映部２２は、ｐ番目の領域がｐ＋１番目の領域に切り替わる間の中間画面に、ｐ番目の領域、ｐ＋１番目の領域、ｐ＋２番目の領域、・・・、ｐ＋ｑ番目の領域及びそれらの間の有向線分を表示する。さらに、このとき、ｐ番目の領域、ｐ＋１番目の領域及び両者間の有向線分を強調表示する。ユーザはｑの値を任意に設定できる。さらに、ユーザは、ｑの初期値「−１」に設定することもできる。このようにすれば、中間画面に、ｐ−１番目の領域（直前の領域）を表示することができる。
【００３２】
図１２及び図１３の説明については、「変形例」として後記する。
【００３３】
（ワークシート情報）
図１４（ａ）に沿って、ワークシート情報３２を説明する。ワークシート情報３２においては、ワークシートＩＤ欄１０１に記憶されたワークシートＩＤに関連付けて、行番号欄１０２には行番号が、列番号欄１０３には列番号が、ノードＩＤ欄１０４にはノードＩＤが、リンクＩＤ欄１０５にはリンクＩＤが記憶されている。
ワークシートＩＤ欄１０１のワークシートＩＤは、ワークシート３１を一意に特定する識別子である。
行番号欄１０２の行番号は、セルの行の番号である。
列番号欄１０３の列番号は、セルの列の番号である。例えば、列番号「４−６」は、当該セルが第４列、第５列及び第６列に跨っていることを示す。
【００３４】
ノードＩＤ欄１０４のノードＩＤは、セル中に表示される、コメント以外のノードを一意に特定する識別子である。前記したように、ノードとはアクション等を示す図形である。セル中に、ノードのような図形が表示されず、文字列だけが表示される場合、ノードＩＤ欄１０４には、その文字列、例えば「お客様」が記憶される。セル中に、複数のノードが表示される場合は、ノードＩＤ欄１０４にも複数のノードＩＤが記憶される。あるノードＩＤに関連付けて、そのノードのそのセルにおける位置を示す情報が記憶される（図示せず）。
リンクＩＤ欄１０５のリンクＩＤは、リンクを一意に特定する識別子である。セル中に、複数のリンクが表示される場合は、リンクＩＤ欄１０５にも複数のリンクＩＤが記憶される。
ワークシート情報３２のレコードは、ワークシートごとにセルの数だけ存在する。
【００３５】
（ノード情報）
図１４（ｂ）に沿って、ノード情報３３を説明する。ノード情報３３においては、ワークシートＩＤ欄１１１に記憶されたワークシートＩＤに関連付けて、ノードＩＤ欄１１２にはノードＩＤが、ノード種類欄１１３にはノード種類が、表示文字列欄１１４には表示文字列が記憶されている。
【００３６】
ワークシートＩＤ欄１１１のワークシートＩＤは、図１４（ａ）のワークシートＩＤと同じである。
ノードＩＤ欄１１２のノードＩＤは、図１４（ａ）のノードＩＤと同じである。
ノード種類欄１１３のノード種類は、ノードを示す図形の名称である。例えば、「工程五角形」は、大工程及び小工程を示し、「網掛け長方形」は、アクションを示し、「出力帳票」は、成果物を示す。あるノード種類に関連付けて、そのノードを描画するのに必要な情報（線の太さ、色等）が記憶される（図示せず）。
表示文字列欄１１４の表示文字列は、ノードを示す図形内に表示される文字列である。
ノード情報３３のレコードは、ワークシートごとに、コメント以外のノードの数だけ存在する。
【００３７】
（ノード情報）
図１４（ｃ）に沿って、リンク情報３４を説明する。リンク情報３４においては、ワークシートＩＤ欄１２１に記憶されたワークシートＩＤに関連付けて、リンクＩＤ欄１２２にはリンクＩＤが、リンク種類欄１２３にはリンク種類が、起点ノードＩＤ欄１２４には起点ノードＩＤが、終点ノードＩＤ欄１２５には終点ノードＩＤが記憶されている。
ワークシートＩＤ欄１２１のワークシートＩＤは、図１４（ａ）のワークシートＩＤと同じである。
リンクＩＤ欄１２２のリンクＩＤは、図１４（ａ）のリンクＩＤと同じである。
リンク種類欄１２３のリンク種類は、リンクを示す図形の名称である。例えば、「有向線分」は、アクション等を起点として成果物等を終点とする、因果関係の矢印を示し、「線分」は、アクション等に事実等を関連付ける紐を示す。
【００３８】
起点ノードＩＤ欄１２４の起点ノードＩＤは、リンクの起点であるノードを特定するノードＩＤである。
終点ノードＩＤ欄１２５の終点ノードＩＤは、リンクの終点であるノードを特定するノードＩＤである。
例えば、あるレコードの起点ノードＩＤが「Ｎ０１１」であり、終点ノードＩＤが「Ｎ０１２」であるとする。そして、次のレコードの起点ノードＩＤが「Ｎ０１１」であり、終点ノードＩＤが「Ｎ０１３」であるとする。このとき、ノード「Ｎ０１１」から、ノード「Ｎ０１２」及びノード「Ｎ０１３」に向かって、１本のリンクが２本のリンクに分岐する。また、あるレコードの起点ノードＩＤが「Ｎ１１１」であり、終点ノードＩＤが「Ｎ１１３」であるとする。そして、次のレコードの起点ノードＩＤが「Ｎ１１２」であり、終点ノードＩＤが「Ｎ１１３」であるとする。このとき、ノード「Ｎ１１１」及びノード「Ｎ１１２」から、ノード「Ｎ１１３」に向かって、２本のリンクが合流して１本のリンクとなる。
リンク情報３４のレコードは、ワークシートごとにリンクの数だけ存在する。
【００３９】
（コメント情報）
図１４（ｄ）に沿って、コメント情報３５を説明する。コメント情報３５においては、ワークシートＩＤ欄１３１に記憶されたワークシートＩＤに関連付けて、コメントＩＤ欄１３２にはコメントＩＤが、ノードＩＤ欄１３３にはノードＩＤが、コメント欄１３４にはコメントが記憶されている。
【００４０】
ワークシートＩＤ欄１３１のワークシートＩＤは、図１４（ａ）のワークシートＩＤと同じである。
コメントＩＤ欄１３２のコメントＩＤは、コメントを一意に特定する識別子である。
ノードＩＤ欄１３３のノードＩＤは、図１４（ａ）のノードＩＤと同じである。コメントは、コメント以外のノードに関連付けられる。
コメント欄１３４のコメントは、前記したコメントそのものである。
コメント情報３５のレコードは、ワークシートごとにコメントの数だけ存在する。
【００４１】
（登録画面情報）
図１５（ａ）に沿って、登録画面情報３６を説明する。登録画面情報３６においては、登録画面ＩＤ欄１４１に記憶された登録画面ＩＤに関連付けて、ワークシートＩＤ欄１４２にはワークシートＩＤが、領域座標欄１４３には領域座標が記憶されている。
登録画面ＩＤ欄１４１の登録画面ＩＤは、登録画面を一意に特定する識別子である。登録画面とは、前記したように、スライド上映されることを目的に登録されるワークシート３１の一部の領域を、画面一杯に拡大して表示する画面である。
ワークシートＩＤ欄１４２のワークシートＩＤは、図１４（ａ）のワークシートＩＤと同じである。
領域座標欄１４３の領域座標は、ワークシート３１における登録画面の位置範囲である（具体例を後記する）。
登録画面情報３６のレコードは、ワークシートごとに登録画面の数だけ存在する。
【００４２】
（領域座標）
図１５（ｂ）に沿って、図１５（ａ）のレコード１４７の領域座標「（４，２，１０％，２５％），（４，２，６０％，８０％）」が具体的に何を示すかを説明する。１つの括弧は、ワークシート３１上のある１つの点の位置を表す。そして、「（４，２，１０％，２５％），（４，２，６０％，８０％）」のように２つの括弧の組合せは、前の括弧が表す点を左上に有し、後の括弧が表す点を右下に有する長方形を表す。「（４，２，１０％，２５％）」の「４，２」は、第４行第２列を表している。「１０％」は、第４行第２列のセルの高さを１００％とした場合の、当該セルの上辺からの縦位置を表している。同様に、「２５％」は、第４行第２列のセルの横幅を１００％とした場合の、当該セルの左辺からの横位置を表している。「（４，２，６０％，８０％）」についても同様である。
【００４３】
（中間画面情報）
図１５（ｃ）に沿って、中間画面情報３７を説明する。中間画面情報３７においては、中間画面ＩＤ欄１５１に記憶された中間画面ＩＤに関連付けて、ワークシートＩＤ欄１５２にはワークシートＩＤが、領域座標欄１５３には領域座標が記憶されている。
中間画面ＩＤ欄１５１の中間画面ＩＤは、中間画面を一意に特定する識別子である。中間画面とは、前記したように、ある登録画面を表示した後、次の登録画面を表示する前の時点において表示される画面である。本実施形態では、例えば、中間画面Ｍ１２は、登録画面Ｄ０１と登録画面Ｄ０２の間に表示される画面である。
ワークシートＩＤ欄１５２のワークシートＩＤは、図１４（ａ）のワークシートＩＤと同じである。
領域座標欄１５３の領域座標は、ワークシート３１における中間画面の位置範囲である。
【００４４】
いま、図１５（ａ）のレコード１４４及びレコード１４５、並びに、図１５（ｃ）のレコード１５４に注目する。レコード１５４の領域座標の前の括弧は、レコード１４４の領域座標の前の括弧に一致している。レコード１５４の領域座標の後の括弧は、レコード１４５の領域座標の後の括弧に一致している。これは、時間的に先に見る登録画面が中間画面の左上に位置し、時間的に後に見る登録画面が中間画面の右下に位置する例である（例えば、図９の中間画面Ｍ１２参照）。
【００４５】
さらに、図１５（ａ）のレコード１４６及びレコード１４７、並びに、図１５（ｃ）のレコード１５５に注目する。
・レコード１５５の領域座標の前の括弧の「３」及び「２０％」は、レコード１４６の領域座標の前の括弧の、それぞれ「３」及び「２０％」に一致している。
・レコード１５５の領域座標の前の括弧の「２」及び「２５％」は、レコード１４７の領域座標の前の括弧の、それぞれ「２」及び「２５％」に一致している。
・レコード１５５の領域座標の後の括弧の「４」及び「６０％」は、レコード１４７の領域座標の後の括弧の、それぞれ「４」及び「６０％」に一致している。
・レコード１５５の領域座標の後の括弧の「５」及び「６５％」は、レコード１４６の領域座標の後の括弧の、それぞれ「５」及び「６５％」に一致している。
これは、時間的に先に見る登録画面が中間画面の右上に位置し、時間的に後に見る登録画面が中間画面の左下に位置する例である（例えば、図９の中間画面Ｍ３４参照）。このように、中間画面の領域座標は、２つの登録画面を過不足なく表示できるような位置範囲である。
【００４６】
（上映情報）
図１６（ａ）、（ｂ）及び（ｃ）に沿って、上映情報３８を説明する。上映情報３８においては、ワークシートＩＤ欄１６１に記憶されたワークシートＩＤに関連付けて、登録画面ＩＤ欄１６２には登録画面ＩＤが、中間画面ＩＤ欄１６３には中間画面ＩＤが、順序欄１６４には順序が、タイミング欄１６５にはタイミングが記憶されている。
ワークシートＩＤ欄１６１のワークシートＩＤは、図１４（ａ）のワークシートＩＤと同じである。
登録画面ＩＤ欄１６２の登録画面ＩＤは、図１５（ａ）の登録画面ＩＤと同じである。
中間画面ＩＤ欄１６３の中間画面ＩＤは、図１５（ｃ）の中間画面ＩＤと同じである。
登録画面ＩＤが記憶されるレコードには中間画面ＩＤが記載されない。中間画面ＩＤが記憶されるレコードには登録画面ＩＤが記載されない。
順序欄１６４の順序は、登録画面及び中間画面を表示する順序である。数字が小さいほど表示される順序が早い。
タイミング欄１６５のタイミングは、登録画面及び中間画面を表示するタイミングである。数字が小さいほど表示される時刻が早い。タイミングは、例えば「ｔ０＝０．０秒」、「ｔ１＝２．０秒」、・・・のような正の実数値を伴うデータである。図１６（ａ）等では、省略的に、「ｔ０」、「ｔ１」、・・・と記している。
【００４７】
図１６（ａ）の上映情報３８は、スライド上映部２２が、中間画面を表示することなく、複数の登録画面のみを、所定の順序（詳細後記）で連続的に表示する場合に対応している。図１６（ｂ）の上映情報３８は、スライド上映部２２が、ある登録画面を表示した後次の登録画面を表示する前に、１つの中間画面を表示する場合に対応する。図１６（ｃ）の上映情報３８は、スライド上映部２２が、登録画面を表示した後次の登録画面を表示する前に、両者の登録画面の間の距離に応じて、１又は複数の中間画面を表示する場合に対応する。
【００４８】
（登録画面間の距離及び中間画面の個数）
図８に戻って、登録画面間の距離に注目する。本実施形態においては、登録画面は長方形である。そこで、２つの登録画面のそれぞれの中心（対角線の交点）間の距離を、当該２つの登録画面間の距離と定義する。ここでの距離は、縦座標値の差分の２乗と横座標値の差分の２乗との和の正の平方根である。そして、ここでの座標値は、ワークシート３１の行列とは関係なく、単に、画素の数に基づく表示上の位置を意味する。
【００４９】
ユーザは、図８における登録画面を、Ｄ０１→Ｄ０２→Ｄ０３→Ｄ０４→Ｄ０５の順序で、連続スライド方式で見るとする。連続する２つの登録画面間の距離に注目すると、登録画面Ｄ０３と登録画面Ｄ０４との間の距離が最も長い。登録画面Ｄ０４と登録画面Ｄ０５との間の距離がその次に長い。登録画面Ｄ０１と登録画面Ｄ０２との間の距離がさらにその次に長く、登録画面Ｄ０２と登録画面Ｄ０３との間の距離が最も短い。このようなとき、ユーザが前後の登録画面の位置関係を最も見失い易いのは、当然登録画面Ｄ０３と登録画面Ｄ０４との間である。
【００５０】
図１６（ｂ）において、スライド上映部２２は、登録画面Ｄ０３を表示した直後に、中間画面Ｍ３４を表示し、さらにその直後に、登録画面Ｄ０４を表示する。しかしながら、中間画面Ｍ３４では、登録画面Ｄ０３及び登録画面Ｄ０４は、画面の周辺部に小さく表示される（図１６（ｂ）の右図）。したがって、ユーザは、直前に画面一杯に見ていた登録画面Ｄ０３と、中間画面Ｍ３４における登録画面Ｄ０３とが同じものであることが感覚的にわかり難い。同様に、ユーザは、中間画面Ｍ３４における登録画面Ｄ０４と、直後に画面一杯に見ることになる登録画面Ｄ０４とが同じものであることが感覚的にわかり難い。
【００５１】
図１６（ｃ）においては、スライド上映部２２は、登録画面Ｄ０３を表示した直後に、中間画面Ｍ３４１、中間画面Ｍ３４２及び中間画面Ｍ３４３をこの順序で表示し、さらにその直後に、登録画面Ｄ０４を表示する。スライド上映部２２は、図１６（ｂ）の中間画面Ｍ３４において、登録画面Ｄ０３の中心と登録画面Ｄ０４の中心とを結ぶ直線を想定する。これを「想定移動直線」と呼ぶ。そして、スライド上映部２２は、想定移動直線の長さを４等分する、想定移動直線上３つの点を決定し、登録画面Ｄ０３に近い方から、「第１の基準点」、「第２の基準点」及び「第３の基準点」とする。
【００５２】
スライド上映部２２は、第１の基準点を中心とし、登録画面Ｄ０３の全体が収まる領域を中間画面Ｍ３４１として表示する。スライド上映部２２は、第２の基準点を中心とし、登録画面Ｄ０３の一部及び登録画面Ｄ０４の一部が納まる領域を中間画面Ｍ３４２として表示する。スライド上映部２２は、第３の基準点を中心とし、登録画面Ｄ０４の全体が収まる領域を中間画面Ｍ３４３として表示する。すると、ユーザは、途切れることなく自然に登録画面Ｄ０３から登録画面Ｄ０４への移動を見ることができる。
【００５３】
（上映速度曲線）
図１７（ａ）に沿って、上映速度曲線３９を説明する。上映速度曲線３９は、累積移動距離を横軸とし、タイミングを縦軸とする二次元座標平面上における、原点を通る曲線（直線、複数の直線からなる折れ線を含む）である。前記と同じように、ユーザは、登録画面を、例えばＤ０１→Ｄ０２→Ｄ０３→Ｄ０４→Ｄ０５の順序で、連続スライド方式で見るとする。このとき、ユーザの視点が４本の想定移動直線を順次辿ると考える。横軸の累積移動距離は、このようにして、最初の登録画面の中心を起点としてユーザの視点が辿った累積の距離を示す。横軸上の点Ｄ０１から点Ｄ０２の間の距離は、登録画面Ｄ０１と登録画面Ｄ０２との間の距離に相当する。横軸上の点Ｄ０２から点Ｄ０３の間の距離は、登録画面Ｄ０２と登録画面Ｄ０３との間の距離に相当し、以下同様である。
【００５４】
一方、本実施形態では、中間画面間の距離は問題とはならない（定義されない）。横軸上の点Ｍ１２は、単に点Ｄ０１と点Ｄ０２の中点であり、点Ｍ２３は、単に点Ｄ０２と点Ｄ０３の中点である。また、点Ｍ３４１、点Ｍ３４２及び点Ｍ３４３は、点Ｄ０３と点Ｄ０４の間を４等分する点である。同様に、点Ｍ４５１及び点Ｍ４５２は、点Ｄ０４と点０５の間を３等分する点である。
【００５５】
縦軸のタイミングは、図１６（ａ）のタイミングと同じである。上映速度曲線３９をある関数とし、累積移動距離を当該関数に対する入力変数とした場合、当該関数の出力変数がタイミングとなる。図１７（ａ）では、横軸の点Ｄ０１が縦軸の点ｔ０に対応し、点Ｄ０２が点ｔ２に対応し、点Ｄ０３が点ｔ４に対応し、以下同様である。また、横軸の点Ｍ１２が縦軸の点ｔ１に対応し、点Ｍ２３が点ｔ３に対応し、点３４１が点ｔ５に対応し、以下同様である。上映速度曲線３９が、原点を通る直線（図１７（ａ））であると、タイミングを示す縦軸上に、点ｔ０、ｔ１、ｔ２、ｔ３、ｔ４、ｔ５・・・がほぼ同じ間隔で並ぶ。
なお、登録画面Ｄ０１は、時点ｔ０から時点ｔ１までの間表示され続ける。そして、時点ｔ１において、登録画面Ｄ０１は中間画面Ｍ１２に切り替わり、時点ｔ１から時点ｔ２までの間、中間画面Ｍ１２が表示され続けることになる（以下同様）。
【００５６】
図１７（ｂ）は、図１７（ａ）と同じ二次元座標平面である。図１７（ｂ）では、横軸の点Ｄ０２等の位置は、図１７（ａ）と全く同じである。しかしながら、図１７（ｂ）では、上映速度曲線３９が、原点を通る折れ線となっている。折れ線は、傾きの異なる３本の直線からなる。傾きは、横軸上の点Ｄ０１から点Ｄ０３までの区間で最も大きく、点Ｄ０４から点Ｄ０５までの区間でその次に大きく、点Ｄ０３から点Ｄ０４までの区間で最も小さい。すると、縦軸上の各点の間隔は、ｔ４〜ｔ８の間で最も狭くなり、ｔ８〜ｔ１１の間でその次に狭くなり、ｔ０〜ｔ４の間で最も広くなる。
【００５７】
上映速度曲線３９が図１７（ａ）の形状である場合、スライド上映部２２は、図１６（ｃ）の上映情報３８の各レコードに対応する登録画面又は中間画面を、ほぼ同じ時間的間隔で表示（コマ送り）する。上映速度曲線３９が図１７（ｂ）の形状であるとする。この場合、スライド上映部２２は、登録画面又は中間画面を、最初は比較的遅い時間的間隔で表示する。そして、その後、比較的早い時間的間隔で表示し、さらにその後は中間的な時間的間隔で表示する。つまり、スライド上映部２２は、ユーザの視点が長い「想定移動直線」を辿る場合は、より多くの中間画面をより短い時間間隔で表示する。
【００５８】
図１８（ａ）及び（ｂ）は上映速度曲線３９が線形ではない例である。上映速度曲線３９は、二次曲線、変曲点を有する三次以上の曲線、対数又は指数曲線、ある値に無限に近づく漸近線等であってもよい。上映速度曲線３９が、例えば図１８（ａ）のように、下に凸の曲線である場合、スライド上映が終わりに近づくにつれて、ユーザは、画面が徐々に遅くコマ送りされるのを見ることになる。逆に、図１８（ｂ）のように、上に凸の曲線である場合、スライド上映が終わりに近づくにつれて、ユーザは、画面が徐々に速くコマ送りされるのを見ることになる。
【００５９】
（上映順序パタン）
図１９に沿って、上映順序パタン４０を説明する。前記においては、ワークシート３１の一番上の行を左から右へ、次にその下の行を左から右へ、という順序で登録画面が表示される例を説明してきた。しかしながら、ユーザは、このような順序を任意に設定することができる。
【００６０】
上映順序パタン４０においては、パタンＩＤ欄１７１に記憶されたパタンＩＤに関連付けて、パタン名欄１７２にはパタン名が、パタン欄１７３にはパタンが記憶されている。
パタンＩＤ欄１７１のパタンＩＤは、パタンを一意に特定する識別子である。パタンとは、複数の登録画面を表示する（コマ送りする）順序を決めるルールである。
パタン名欄１７２のパタン名は、パタンの名称である。パタン名は、「面積」、「行列」、「列行」、「因果並列」、「因果遡及」、「決定時間」及び「ノード数」を含む。これらの意味は、直ちに後記する。
パタン欄１７３のパタンは、パタンの内容そのものである。ただし、パタンは言葉で表現すると複雑になるので、ここではパタンを図案化して示している。当該欄の５つの長方形は、図８の５つの領域７１等に対応している。数字は、表示される順序である。
【００６１】
（パタン）
パタンＰ０１は「面積」である。画面管理部２１は、それぞれの登録画面について、その領域がワークシート３１上に占める面積（又は画素数）を算出する。そして、スライド上映部２２は、面積が大きい順に、登録画面を表示する。
【００６２】
パタンＰ０２は「行列」である。画面管理部２１は、それぞれの登録画面について、その領域の中心（対角線の交点）が属する行及び列を特定する。そして、複数の登録画面を、それらの中心の位置を基準に、まず最も上の行の左の列から右の列へ、その下の行の左の列から右の列へ、という順序に順序付ける。そして、スライド上映部２２は、その順序の通りに登録画面を表示する。
【００６３】
パタンＰ０３は「列行」である。画面管理部２１は、それぞれの登録画面について、その領域の中心が属する行及び列を特定する。そして、複数の登録画面を、それらの中心の位置を基準に、まず最も左の列の上の行から下の行へ、その右の列の上の行から下の行へ、という順序に順序付ける。そして、スライド上映部２２は、その順序の通りに登録画面を表示する。
【００６４】
パタンＰ０４は「因果並列」である。画面管理部２１は、登録画面の領域間を結ぶリンクの向きに基づいて、それらの登録画面の階層構造を示すツリーを作成する。そして、末端の階層（因果関係のうち最も末端の「原因」の階層）に属する任意の１つの登録画面を「１」とし、そこを起点にルート方向にツリーを進む。進んだ先の登録画面に対して合流する登録画面があればその合流する登録画面を「２」とする。そして、進んだ先の登録画面を「３」とする。画面管理部２１は、進んだ先の登録画面に対して合流する登録画面がなければ、進んだ先の登録画面を「２」とする。画面管理部２１は、このような処理を繰り返し、すべての登録画面に対して、「１」、「２」、「３」、・・・の順序を対応させる。そして、スライド上映部２２は、その順序の通りに登録画面を表示する。
【００６５】
パタンＰ０５は「因果遡及」である。画面管理部２１は、前記と同様にツリーを作成する。そして、末端の階層に属する任意の１つの登録画面を「１」とし、そこを起点にルート方向にツリーを進む。進んだ先の登録画面を「２」とし、進んだ先の登録画面に対して合流する登録画面があればその合流する登録画面を「３」とする。画面管理部２１は、進んだ先の登録画面に対して合流する登録画面がなければ、さらにルート方向に進む。画面管理部２１は、このような処理を繰り返し、すべての登録画面に対して、「１」、「２」、「３」、・・・の順序を対応させる。そして、スライド上映部２２は、その順序の通りに登録画面を表示する。
【００６６】
パタンＰ０６は「決定時間」である。ユーザは、ディスプレイ１３ｂ上の操作で、ワークシート３１のある領域を固定する（拡大、スクロール等をせずに見続ける）。そして、その領域を後ほどスライドで見ることを決定すると、その領域を指定して登録ボタン５４（図４）を押下する。スライド上映部２２は、登録画面ごとに、画面が固定されていた時間（熟考時間）を記憶する。画面管理部２１は、熟考時間の長い順に、登録画面を順序付ける。そして、スライド上映部２２は、その順序の通りに登録画面を表示する。
【００６７】
パタンＰ０７は「ノード数」である。画面管理部２１は、登録画面内に存在するノードの数を取得し、ノードの数が多い順に、登録画面を順序付ける。そして、スライド上映部２２は、その順序の通りに登録画面を表示する。画面管理部２１は、すべてのノードの数を取得してもよいし、所定の種類のノード（例えば、アクションのみ、成果物のみ等）の数を取得してもよい。
【００６８】
（パタンの使い分け）
「面積」は、業務の他主体又は他の時点への影響度（自社だけで完結するか、お客さまも巻き込むか、又は長く将来に影響を及ぼすか）の大きい順に登録画面を見て行く場合に適している。
「行列」は、ある主体を基準にして時系列で登録画面を見て行く場合に適している。
「列行」は、ある時点を基準にして主体ごとの役割分担に注目しながら登録画面を見て行く場合に適している。
「因果並列」は、時間的に上流の主体が、下流の主体の業務を管理する（業務の開始を指示する等）場合に適している。
「因果遡及」は、時間的に下流の主体が、上流の主体の業務を管理する（必要に応じて催促する等）場合に適している。
「決定時間」は、業務の重要度（熟考時間が長いほどその業務は重要である）の大きい順に登録画面を見て行く場合に適している。
「ノード数」は、作業量が多い業務からそうでない業務の順に、登録画面を見て行く場合に適している。
【００６９】
（全体処理手順）
図２０に沿って、全体処理手順を説明する。全体処理手順を開始する前提として、異なる形状を有する複数の上映速度曲線３９（図１７、図１８）と、複数のレコードを有する上映順序パタン４０（図１９）が補助記憶装置１５に記憶されているものとする。そして、ワークシート情報３２（図１４（ａ））、ノード情報３３（図１４（ｂ））、リンク情報３４（図１４（ｃ））及びコメント情報３５（図１４（ｄ））が完成した状態で補助記憶装置１５に記憶されているものとする。
【００７０】
ステップＳ３０１において、行動計画表示装置１の画面管理部２１は、ワークシート３１の指定を受け付ける。具体的には、第１に、画面管理部２１は、ユーザが、入力装置１２を介してワークシートＩＤを入力するのを受け付ける。ここで受け付けたワークシートＩＤを「操作対象ワークシートＩＤ」と呼ぶ。
第２に、画面管理部２１は、操作対象ワークシートＩＤを検索キーとして、ワークシート情報３２、ノード情報３３、リンク情報３４及びコメント情報３５を検索し該当したすべてのレコードを取得する。
【００７１】
第３に、画面管理部２１は、取得したレコードに基づいて、ワークシート３１を作成し、作成したワークシート３１をディスプレイ１３ｂに表示し、プロジェクタ１３ａを介してスクリーンに投影する。このとき、画面管理部２１は、ディスプレイ１３ｂ及びスクリーン上に、ワークシート表示画面４１（図３）を表示することになる。
第４に、画面管理部２１は、携帯端末装置２の出力装置に、操作パネル５２を表示し、さらに、ディスプレイ１３ｂ上に表示されているワークシート表示画面４１の任意の箇所にも操作パネル５２を表示する（図４）。
この段階で、ユーザは、操作パネル５２及びマウス等を操作することによって、ワークシート３１の全体及び部分を、拡大、縮小、スクロール等をしながら見ることができる。
【００７２】
ステップＳ３０２において、画面管理部２１は、登録画面を作成する。具体的には、第１に、画面管理部２１は、ユーザがワークシート３１の任意の長方形の領域をマウス等で指定し、登録ボタン５４を押下するのを受け付ける。このとき、ユーザは、携帯端末装置２の出力装置上に表示された登録ボタン５４を押下してもよいし、ディスプレイ１３ｂに表示された登録ボタン５４を押下してもよい。
第２に、画面管理部２１は、登録画面情報３６（図１５（ａ））の新たなレコードを作成し、ワークシートＩＤ欄１４２に、操作対象ワークシートＩＤを記憶する。
第３に、画面管理部２１は、新たなレコードの領域座標欄１４３に、ステップＳ３０２の「第１」において指定された領域を示す領域座標を記憶する。そして、登録画面ＩＤを採番し、登録画面ＩＤ欄１４１に記憶する。
第４に、画面管理部２１は、操作パネル５２の状態番号５３の分母に「１」を加算し、分子にも「１」を加算する。なお、分母及び分子の初期値はいずれも「０」である。
【００７３】
ユーザは、複数の登録画面を登録するために、長方形の領域を指定し登録ボタン５４を押下する操作を、任意の回数だけ繰り返す。その操作に対応して、画面管理部２１は、ステップＳ３０２の「第１」〜「第４」の処理を任意の回数だけ繰り返す。ここでは、ユーザは、図８の５つの領域７１〜７５（Ｄ０１〜Ｄ０５）を指定したとする。すると、画面管理部２１は、図１５（ａ）に示す通りの登録画面情報３６を作成することになる。
【００７４】
ステップＳ３０３において、画面管理部２１は、上映順序を決定する。具体的には、画面管理部２１は、ディスプレイ１３ｂに上映順序パタン４０（図１９）を示し、ユーザが任意の１つのレコードをマウス等で選択するのを受け付ける。このとき選択されたレコードのパタンを「選択順序パタン」と呼ぶ。ここでは、選択順序パタンは、「行列」であったとする。
【００７５】
ステップＳ３０４において、画面管理部２１は、中間画面を作成する。具体的には、第１に、画面管理部２１は、ステップＳ３０２において作成した登録画面を、選択順序パタンに基づいて順序付ける。いま、選択順序パタンは「行列」であるので、画面管理部２１は、「Ｄ０１→Ｄ０２→Ｄ０３→Ｄ０４→Ｄ０５」のように登録画面を順序付けることになる。
第２に、画面管理部２１は、登録画面間の距離を取得する。このとき、取得された距離は以下の通りであったとする。
・Ｄ０１→Ｄ０２の距離は、ｄ１２である。
・Ｄ０２→Ｄ０３の距離は、ｄ２３である。
・Ｄ０３→Ｄ０４の距離は、ｄ３４である。
・Ｄ０４→Ｄ０５の距離は、ｄ４５である。
・これらの大小関係は、「ｄ２３＜ｄ１２＜ｄ４５＜ｄ３４」である。
【００７６】
第３に、画面管理部２１は、登録画面間の距離に閾値を適用し、中間画面の数を決定する。いま、第１の閾値及び第２の閾値がユーザによって設定されており、「ｄ２３＜ｄ１２＜第１の閾値＜ｄ４５＜第２の閾値＜ｄ３４」が成立しているとする。すると、画面管理部２１は、例えば以下のように中間画面の数を決定する。
・Ｄ０１→Ｄ０２の中間画面の数は、「１」である。
・Ｄ０２→Ｄ０３の中間画面の数は、「１」である。
・Ｄ０３→Ｄ０４の中間画面の数は、「３」である。
・Ｄ０４→Ｄ０５の中間画面の数は、「２」である。
【００７７】
第４に、画面管理部２１は、「基本中間画面」についての中間画面情報３７（図１５（ｃ））のレコードを作成する。基本中間画面とは、ある登録画面と次の登録画面との間の距離にかかわらず作成される中間画面である。基本中間画面の具体例は以下の通りである。
・Ｄ０１→Ｄ０２の基本中間画面「Ｍ１２」は、Ｄ０１及びＤ０２を含む。
・Ｄ０２→Ｄ０３の基本中間画面「Ｍ２３」は、Ｄ０２及びＤ０３を含む。
・Ｄ０３→Ｄ０４の基本中間画面「Ｍ３４」は、Ｄ０３及びＤ０４を含む。
・Ｄ０４→Ｄ０５の基本中間画面「Ｍ４５」は、Ｄ０４及びＤ０５を含む。
ここで、例えば「Ｄ０１及びＤ０２を含む」は、Ｄ０１及びＤ０２を含みそれらの左右及び上下の余白が最小限となるように表示することを意味する（図９のＭ１２等参照）。余白は、例えば、画素数○個、画面上で◎センチメートル、のようにユーザが任意に設定できる。この段階で、中間画面情報３７は、（図１５（ｃ））の状態になっている。
【００７８】
第５に、画面管理部２１は、「補間中間画面」についての中間画面情報３７（図１５（ｃ））のレコードを作成する。補間中間画面とは、登録画像間の距離が長いことに起因して、ある登録画面と次の登録画面との間の中間画面の数がｐ個（ｐ≧２）である場合における、当該ｐ個の中間画面である。補間中間画面の具体例は以下の通りである。
・基本中間画面「Ｍ３４」をもとにして作成された、想定移動直線上の第１の基準点を中心とする補間中間画面「Ｍ３４１」、第２の基準点を中心とする補間中間画面「Ｍ３４２」及び第３の基準点を中心とする補間中間画面「Ｍ３４３」（想定移動直線が４等分される例）。
・基本中間画面「Ｍ４５」をもとにして作成された、想定移動直線上の第１の基準点を中心とする補間中間画面「Ｍ４５１」及び第２の基準点を中心とする補間中間画面「Ｍ４５２」（想定移動直線が３等分される例）。
【００７９】
この段階で、中間画面情報３７は、基本中間画面についてのレコードと補間中間画面についてのレコードが混在した状態になっている（図示せず）。なお、例えば、「Ｍ３４」をもとにして「Ｍ３４１」、「Ｍ３４２」及び「Ｍ３４３」が作成された場合、画面管理部２１は、中間画面情報３７において、「Ｍ３４」のレコードを削除し、「Ｍ３４１」、「Ｍ３４２」及び「Ｍ３４３」のレコードを追加するものとする。
【００８０】
第６に、画面管理部２１は、上映情報３８を完成させる。前記の例に従えば、画面管理部２１は、最初に、登録画面についてのレコードを作成し（図１６（ａ））、次に、基本中間画面についてのレコードを追加し（図１６（ｂ））、最後に、基本中間画面についてのレコードの一部を、補間中間画面についてのレコードで置き換える（図１６（ｃ））。画面管理部２１は、上映情報３８の順序欄１６４に、上から順に「１」、「２」、「３」、・・・を記憶する。さらに、タイミング欄１６５に、上から順に「ｔ０」、「ｔ１」、「ｔ２」、・・・を記憶する。ただし、この段階では、「ｔ１」等には「２．０秒」等の実数値が割り当てられていない。
【００８１】
ステップＳ３０５において、画面管理部２１は、上映速度を決定する。具体的には、第１に、画面管理部２１は、ディスプレイ１３ｂにすべての上映速度曲線３９（図１７、図１８）を示し、ユーザが任意の１つの上映速度曲線３９をマウス等で選択するのを受け付ける。このとき選択された上映速度曲線を「選択速度曲線」と呼ぶ。ここでは、選択速度曲線は、図１７（ａ）に示すものであったとする。
第２に、画面管理部２１は、各画面についての累積移動距離を選択速度曲線に対し適用し、対応するタイミングを取得する。そして、上映情報３８のタイミング欄１６５の「ｔ１」等に、取得したタイミング（「２．０秒」等の実数値）を割り当てる。
【００８２】
ステップＳ３０６において、行動計画表示装置１のスライド上映部２２は、自動スライド上映処理手順（詳細を直ちに後記）を実行する。その後全体処理手順を終了する。
【００８３】
（自動スライド上映処理手順）
図２１に沿って、自動スライド上映処理手順を説明する。自動スライド上映処理手順は、全体処理手順のステップＳ３０６のサブルーチンである。
ステップＳ３２１において、行動計画表示装置１のスライド上映部２２は、変数「ｉ」に「１」を代入する。「ｉ」は、上映情報３８（図１６（ｃ））の順序に対応する。
【００８４】
ステップＳ３２２において、スライド上映部２２は、ｉ番目の画面を表示する。具体的には、第１に、スライド上映部２２は、順序が「ｉ」である上映情報３８（図１６（ｃ））のレコードのタイミングが到来すると、当該レコードの登録画面ＩＤ又は中間画面ＩＤを取得する。
第２に、スライド上映部２２は、ステップＳ３２２の「第１」において取得した登録画面ＩＤ又は中間画面ＩＤと、操作対象ワークシートＩＤとを検索キーとして、登録画面情報３６（図１５（ａ））又は中間画面情報３７（図１５（ｃ））を検索する。そして、該当したレコードの領域座標に基づいて、登録画面又は中間画面を所定の時間表示する。
【００８５】
ステップＳ３２３において、スライド上映部２２は、新たな画面の登録要求があったか否かを判断する。ユーザは、スライドの自動上映が行われている途中において、新たな登録画面を追加的に登録することを希望する場合は、例えば、操作パネル５２の登録ボタン５４の上にマウスを移動させる。このような操作が「登録要求」である。スライド上映部２２は、次の画面に進むまでの間に登録要求を受け付けた場合（ステップＳ３２３“ＹＥＳ”）、ステップＳ３２４に進み、それ以外の場合ステップＳ３２３“ＮＯ”）は、ステップＳ３２５へ進む。
【００８６】
ステップＳ３２４において、スライド上映部２２は、新たな登録画面を作成する。具体的には、スライド上映部２２は、ステップＳ３０２及びステップＳ３０４の処理をその順序で繰り返す。
【００８７】
ステップＳ３２５において、スライド上映部２２は、順序又は速度の変更要求があったか否かを判断する。ユーザは、スライドの自動上映が行われている途中において、選択速度曲線又は選択順序パタンを変更することを希望する場合は、例えば、操作パネル５２の登録ボタン５４をマウスでダブルクリックする。このような操作が「変更要求」である。スライド上映部２２は、次の画面に進むまでの間に変更要求を受け付けた場合（ステップＳ３２５“ＹＥＳ”）、ステップＳ３２６に進み、それ以外の場合ステップＳ３２５“ＮＯ”）は、ステップＳ３２７へ進む。
【００８８】
ステップＳ３２６において、スライド上映部２２は、順序又は速度を変更する。具体的には、スライド上映部２２は、以下の処理を実行する。
・変更対象が「順序」又は「速度」のいずれであるかをユーザに尋ね、その返答が「順序」である場合は、ステップＳ３０３及びステップＳ３０４をその順序で繰り返す。
・その返答が「速度」である場合は、ステップＳ３０５の処理を繰り返す。
・その返答が「順序」及び「速度」である場合は、ステップＳ３０３、ステップＳ３０４及びステップＳ３０５の処理をその順序で繰り返す。
【００８９】
ステップＳ３２７において、スライド上映部２２は、ｉ＋１番目の画面を表示する。具体的には、第１に、スライド上映部２２は、順序が「ｉ＋１」である上映情報３８（図１６（ｃ））のレコードのタイミングが到来すると、当該レコードの登録画面ＩＤ又は中間画面ＩＤを取得する。
第２に、スライド上映部２２は、ステップＳ３２７の「第１」において取得した登録画面ＩＤ又は中間画面ＩＤと、操作対象ワークシートＩＤとを検索キーとして、登録画面情報３６（図１５（ａ））又は中間画面情報３７（図１５（ｃ））を検索する。そして、該当したレコードの領域座標に基づいて、登録画面又は中間画面を表示する。
【００９０】
ステップＳ３２８において、スライド上映部２２は、最後の画面であるか否かを判断する。具体的には、スライド上映部２２は、「ｉ」の現在値が、上映情報３８（図１６（ｃ））のレコードの総数から「１」を減算した数に達した場合（ステップＳ３２８“ＹＥＳ”）、自動スライド上映処理を終了する。それ以外の場合（ステップＳ３２８“ＮＯ”）、ステップＳ３２９に進む。
【００９１】
ステップＳ３２９において、スライド上映部２２は、変数「ｉ」の現在値に「１」を加算し、その後ステップＳ３２２に戻る。
【００９２】
（変形例）
前記では、同じワークシート３１をもとに作成された２つの登録画面間の中間画面を表示することを説明してきた。しかしながら、ある業務を遂行する際に、異なる複数のワークシート３１を関係者が見ることはよくある。
図１２に戻る。図１２（ａ）は、ワークシートＷ１０１の全体を表示しているワークシート表示画面４１を示している。図１２（ｂ）は、別のワークシートＷ２０１の全体を表示しているワークシート表示画面４１を示している。ワークシートＷ１０１とワークシートＷ２０１は別のものであるが、密接に関連している場合がある。例えば、ワークシートＷ１０１がある業務の実績又は変更前（as is）についてのワークシートであり、ワークシートＷ２０１が当該業務の予定又は変更後（to be）についてのワークシートである場合である。
画面管理部２１は、ワークシートＷ１０１の領域Ｄ１１及びワークシートＷ２０１の領域Ｄ２１を、いずれも登録画面として登録画面情報３６（図１５（ａ））に登録しているとする。
【００９３】
図１３に沿って、このように異なる２つの登録画面を跨いで中間画面を表示する例を説明する。
（１）スライド上映部２２は、ワークシートＷ１０１の領域Ｄ１１を拡大した登録画面を表示する（図１３（ａ））。
（２）スライド上映部２２は、ワークシートＷ１０１の全体を中間画面として表示する（図１３（ｂ））。そして、スライド上映部２２は、領域Ｄ１１以外の図形（円８１内）を徐々にフェードアウトさせる。具体的には、当該図形のある画素の画素値をｘとする（ｘの値が大きいほど色が濃い）。そして、画素値ｘに対して乗算される係数をαとする。スライド上映部２２は、αを１から０に向けて連続的に減少させる。すると、画素値αｘを有する画素は、徐々に消えていく。
【００９４】
（３）円８１内の図形が完全に消えた時点で、スライド上映部２２は、ワークシートＷ２０１の全体を中間画面として表示する（図１３（ｃ））。当初の中間画面は、領域Ｄ２１のみを表示している。そして、スライド上映部２２は、領域Ｄ２１以外の図形（円８２内）を徐々にフェードインさせる。具体的には、当該図形のある画素の画素値をｙとする（ｙの値が大きいほど色が濃い）。そして、画素値ｙに対して乗算される係数をβとする。スライド上映部２２は、βを０から１に向けて連続的に増加させる。すると、画素値βｙを有する画素が、徐々に現れてくる。
【００９５】
（４）円８２内の図形が完全に現れた時点で、スライド上映部２２は、ワークシートＷ２０１の領域Ｄ２１を拡大した登録画面を表示する（図１３（ｄ））。
【００９６】
（実施形態の効果）
本実施形態は、以下の効果を生む。
（１）行動計画表示装置１は、拡大されている登録画面を連続表示する途中で、間欠的に前後の登録画面を併せて示す中間画面を表示する。よって、登録画面の行動主体及び時点がどのように変化したかを容易に理解できる。
（２）行動計画表示装置１は、登録画面が表示される順序を、会議の目的等に応じてユーザに選択させることができる。
（３）行動計画表示装置１は、登録画面及び中間画面が表示されるタイミングを、会議の目的等に応じてユーザに選択させることができる。
（４）行動計画表示装置１は、登録画面間の距離が長い場合は、中間画面の数を増やす。よって、登録画面の変化を目で追い易い。
（５）行動計画表示装置１は、スライド上映の途中で、登録画面の追加、タイミングの変更及び表示順序の変更を受け付ける。よって、より使いやすい連続スライドに編集していくことが容易にできる。
（６）行動計画表示装置１は、複数のワークシートに跨る登録画面も連続的に表示することができ、さらに、中間画面において、指定されていない図形等をフェードアウト／インさせる。よって、例えば、実績と予定等を対比させて見ることができる。
（７）ワークシートは、主体の行と、時系列の工程の列を有するマトリックスである。よって、情報処理の速度が速い。さらに、セルが主体又は工程を示す文字を含む場合、大きさを調整してそれらを表示する。よって、ユーザが主体及び工程を見誤ることを回避できる。
【００９７】
なお、本発明は前記した実施例に限定されるものではなく、様々な変形例が含まれる。例えば、前記した実施例は、本発明を分かり易く説明するために詳細に説明したものであり、必ずしも説明したすべての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、前記の各構成、機能、処理部、処理手段等は、それらの一部又は全部を、例えば集積回路で設計する等によりハードウエアで実現してもよい。また、前記の各構成、機能等は、プロセッサがそれぞれの機能を実現するプログラムを解釈し、実行することによりソフトウエアで実現してもよい。各機能を実現するプログラム、テーブル、ファイル等の情報は、メモリや、ハードディスク、ＳＳＤ（Solid State Drive）等の記録装置、又は、ＩＣカード、ＳＤカード、ＤＶＤ等の記録媒体に置くことができる。
また、制御線や情報線は説明上必要と考えられるものを示しており、製品上必ずしもすべての制御線や情報線を示しているとは限らない。実際には殆どすべての構成が相互に接続されていると考えてもよい。
【符号の説明】
【００９８】
１      行動計画表示装置
２      携帯端末装置
３      ネットワーク
１１    中央制御装置
１２    入力装置
１３ａ  出力装置（プロジェクタ）
１３ｂ  出力装置（ディスプレイ）
１４    主記憶装置（記憶部）
１５    補助記憶装置（記憶部）
１６    通信装置
２１    画面管理部
２２    スライド上映部
３１    ワークシート
３２    ワークシート情報
３３    ノード情報
３４    リンク情報
３５    コメント情報
３６    登録画面情報
３７    中間画面情報
３８    上映情報
３９    上映速度曲線
４０    上映順序パタン
４１    ワークシート表示画面
【図１】
2015082275.tif 000003
【図２】
2015082275.tif 000004
【図３】
2015082275.tif 000005
【図４】
2015082275.tif 000006
【図５】
2015082275.tif 000007
【図６】
2015082275.tif 000008
【図７】
2015082275.tif 000009
【図８】
2015082275.tif 000010
【図９】
2015082275.tif 000011
【図１０】
2015082275.tif 000012
【図１１】
2015082275.tif 000013
【図１２】
2015082275.tif 000014
【図１３】
2015082275.tif 000015
【図１４】
2015082275.tif 000016
【図１５】
2015082275.tif 000017
【図１６】
2015082275.tif 000018
【図１７】
2015082275.tif 000019
【図１８】
2015082275.tif 000020
【図１９】
2015082275.tif 000021
【図２０】
2015082275.tif 000022
【図２１】
2015082275.tif 000023